(57)【要約】  本発明は通信の分野に適用可能であるとともに、送信方法と、システムと、データおよび音声サービスの共存を実現するための通信装置と、を提供する。前記方法は、ＤＥＣＴを使用することによって音声送信が実行されるときに利用可能なアイドルタイムスロットを取得するステップと、ＤＥＣＴを使用することによって音声送信が実行されるときに利用可能なアイドルタイムスロットにおけるＷｉ−Ｆｉ送信を実行するステップと、を有する。本発明では、ＤＥＣＴを使用することによって音声送信が実行されるときに利用可能なアイドルタイムスロットが最初に取得され、その後ＤＥＣＴを使用することによって音声送信が実行されるときに利用可能なアイドルタイムスロットがＷｉ−Ｆｉ送信を実行するために使用され、その結果、時分割多重方式においてＷｉ−ＦｉとＤＥＣＴの共存を実現する。
2015509341.tif 000002
【特許請求の範囲】
【請求項１】
データおよび音声サービスの共存を実現するための送信方法であって、
ＤＥＣＴ（Ｄｉｇｉｔａｌ  Ｅｎｈａｎｃｅｄ  Ｃｏｒｄｌｅｓｓ  Ｔｅｌｅｃｏｍｍｕｎｉｃａｔｉｏｎｓ：デジタル高度コードレス電気通信）を使用することによって音声送信が実行されるときに利用可能なアイドルタイムスロットを取得するステップと、
ＤＥＣＴを使用することによって音声送信が実行されるときに利用可能な前記アイドルタイムスロットにおいて、Ｗｉ−Ｆｉ（Ｗｉｒｅｌｅｓｓ  Ｆｉｄｅｌｉｔｙ：ワイファイ）送信を実行するステップと、
を有するデータおよび音声サービスの共存を実現するための送信方法。
【請求項２】
ＤＥＣＴを使用することによって音声送信が実行されるときに利用可能な前記アイドルタイムスロットを取得するステップは、具体的には、
ＤＥＣＴを使用することによって音声送信が実行されるときのフレーム構成とＷｉ−ＦｉとＤＥＣＴの共存を実現する装置に接続される可搬部の個数とに従って、ＤＥＣＴを使用することによって音声送信が実行されるときに利用可能な前記アイドルタイムスロットを取得するステップ
を有する請求項１に記載のデータおよび音声サービスの共存を実現するための送信方法。
【請求項３】
ＤＥＣＴを使用することによって音声送信が実行されるときに利用可能な前記アイドルタイムスロットを取得するステップは、具体的には、
ＤＥＣＴを使用することによって音声送信が実行されるときに利用可能なアイドル・タイムスロット・セグメントを取得するステップを有し、
前記アイドル・タイムスロット・セグメントは、ＤＥＣＴを使用することによって音声送信が実行されるときに利用可能な、連続アイドルタイムスロットである請求項１または２に記載のデータおよび音声サービスの共存を実現するための送信方法。
【請求項４】
ＤＥＣＴを使用することによって音声送信が実行されるときに利用可能な前記アイドルタイムスロットにおいて、Ｗｉ−Ｆｉ送信を実行するステップは、具体的には、
ＤＥＣＴを使用することによって音声送信が実行されるときに利用可能な各アイドル・タイムスロット・セグメントの持続時間と対応するアイドル・タイムスロット・セグメントにおいて送信される必要があるＷｉ−Ｆｉデータパケットのサイズとに従って、前記各アイドル・タイムスロット・セグメントにおけるＷｉ−Ｆｉ送信の最小レートを制限するステップと、
対応する前記アイドル・タイムスロット・セグメントにおいてＷｉ−Ｆｉ送信を実行するために、前記アイドル・タイムスロット・セグメントにおけるＷｉ−Ｆｉ送信の前記最小レートより大きいか、または等しい送信レートを使用するステップと、
を有する請求項３に記載のデータおよび音声サービスの共存を実現するための送信方法。
【請求項５】
ＤＥＣＴを使用することによって音声送信が実行されるときに利用可能な前記各アイドル・タイムスロット・セグメントの持続時間が同一で、且つ前記各アイドル・タイムスロット・セグメントにおいて送信される必要がある前記Ｗｉ−Ｆｉデータパケットのサイズもまた同一である場合、
ＤＥＣＴを使用することによって音声送信が実行されるときに利用可能な前記各アイドル・タイムスロット・セグメントの持続時間と対応する前記アイドル・タイムスロット・セグメントにおいて送信される必要がある前記Ｗｉ−Ｆｉデータパケットのサイズとに従って、前記各アイドル・タイムスロット・セグメントにおけるＷｉ−Ｆｉ送信の前記最小レートを制限するステップは、具体的には、
前記各アイドル・タイムスロット・セグメントにおけるＷｉ−Ｆｉ送信の前記最小レートを取得するために、前記アイドル・タイムスロット・セグメントの持続時間によって、前記Ｗｉ−Ｆｉデータパケットのサイズを分割するステップ
を有する請求項４に記載のデータおよび音声サービスの共存を実現するための送信方法。
【請求項６】
ＤＥＣＴを使用することによって音声送信が実行されるときに利用可能な前記各アイドル・タイムスロット・セグメントの持続時間が異なる場合及び／又は前記各アイドル・タイムスロット・セグメントにおいて送信される必要がある前記Ｗｉ−Ｆｉデータパケットのサイズが異なる場合、
ＤＥＣＴを使用することによって音声送信が実行されるときに利用可能な前記各アイドル・タイムスロット・セグメントの持続時間と対応する前記アイドル・タイムスロット・セグメントにおいて送信される必要がある前記Ｗｉ−Ｆｉデータパケットのサイズとに従って、前記各アイドル・タイムスロット・セグメントにおけるＷｉ−Ｆｉ送信の前記最小レートを制限するステップは、具体的には、
ＤＥＣＴを使用することによって音声送信が実行されるときに利用可能な前記各アイドル・タイムスロット・セグメントの持続時間を取得するステップと、
対応する前記アイドル・タイムスロット・セグメントにおいて送信される必要がある前記Ｗｉ−Ｆｉデータパケットのサイズを取得するステップと、
対応する前記アイドル・タイムスロット・セグメントにおけるＷｉ−Ｆｉ送信の前記最小レートを取得するために、対応する前記アイドル・タイムスロット・セグメントの持続時間によって前記Ｗｉ−Ｆｉデータパケットのサイズを分割するステップと、
を有する請求項４に記載のデータおよび音声サービスの共存を実現するための送信方法。
【請求項７】
システムはＷｉ−Ｆｉ（Ｗｉｒｅｌｅｓｓ  Ｆｉｄｅｌｉｔｙ：ワイファイ）チップおよびＤＥＣＴ（Ｄｉｇｉｔａｌ  Ｅｎｈａｎｃｅｄ  Ｃｏｒｄｌｅｓｓ  Ｔｅｌｅｃｏｍｍｕｎｉｃａｔｉｏｎｓ：デジタル高度コードレス電気通信）チップを有し、
前記システムは、前記Ｗｉ−Ｆｉチップおよび前記ＤＥＣＴチップにそれぞれ接続されるシンクロナイザをさらに有し、
前記シンクロナイザは、ＤＥＣＴを使用することによって音声送信が実行されるときに利用可能なアイドルタイムスロットを取得するように、および前記ＤＥＣＴチップが音声送信を実行するときに利用可能な前記アイドルタイムスロットにおいて、前記Ｗｉ−ＦｉチップがＷｉ−Ｆｉ送信を実行するように制御するように構成される、データおよび音声サービスの共存を実現するための送信システム。
【請求項８】
前記シンクロナイザは、前記ＤＥＣＴチップが音声送信を実行するときに利用可能な前記アイドルタイムスロットを取得するように構成されるアイドルタイムスロット取得部と、
前記ＤＥＣＴチップが音声送信を実行するときに利用可能な前記アイドルタイムスロットにおいて前記Ｗｉ−ＦｉチップがＷｉ−Ｆｉ送信を実行するように制御するように構成される時分割送信制御部と
を有する請求項７に記載のデータおよび音声サービスの共存を実現するための送信システム。
【請求項９】
前記アイドルタイムスロット取得部は、具体的には、
前記ＤＥＣＴチップが音声送信を実行するときのフレーム構成とＷｉ−ＦｉとＤＥＣＴの共存を実現する装置に接続される可搬部の個数とに従って、前記ＤＥＣＴチップが音声送信を実行するときに利用可能な前記アイドルタイムスロットを取得するように構成される請求項８に記載のデータおよび音声サービスの共存を実現するための送信システム。
【請求項１０】
前記アイドルタイムスロット取得部は、具体的には、
前記ＤＥＣＴチップが音声送信を実行するときに利用可能なアイドル・タイムスロット・セグメントを取得するように構成され、
前記アイドル・タイムスロット・セグメントは、ＤＥＣＴを使用することによって音声送信が実行されるときに利用可能な、連続アイドルタイムスロットである請求項８または９に記載のデータおよび音声サービスの共存を実現するための送信システム。
【請求項１１】
前記時分割送信制御部は、
前記ＤＥＣＴチップが音声送信を実行するときに利用可能な各アイドル・タイムスロット・セグメントの持続時間と対応する前記アイドル・タイムスロット・セグメントにおいて送信される必要があるＷｉ−Ｆｉデータパケットのサイズとに従って、前記各アイドル・タイムスロット・セグメントにおけるＷｉ−Ｆｉ送信の最小レートを制限するように構成される最小送信レート制限モジュールと、
前記Ｗｉ−Ｆｉチップが、対応する前記アイドル・タイムスロット・セグメントにおいてＷｉ−Ｆｉ送信を実行するために、前記アイドル・タイムスロット・セグメントにおいてＷｉ−Ｆｉ送信の前記最小レートより大きいか、または等しい送信レートを使用するように制御するように構成される、時分割制御モジュールと、
を有する請求項１０に記載のデータおよび音声サービスの共存を実現するための送信システム。
【請求項１２】
前記最小送信レート制限モジュールは、具体的には、
ＤＥＣＴを使用することによって音声送信が実行されるときに利用可能な前記各アイドル・タイムスロット・セグメントの持続時間が同一で、且つ前記各アイドル・タイムスロット・セグメントにおいて送信される必要がある前記Ｗｉ−Ｆｉデータパケットのサイズもまた同一である場合、
前記各アイドル・タイムスロット・セグメントにおけるＷｉ−Ｆｉ送信の前記最小レートを取得するために、前記アイドル・タイムスロット・セグメントの持続時間によって、前記Ｗｉ−Ｆｉデータパケットのサイズを分割するように構成される請求項１１に記載のデータおよび音声サービスの共存を実現するための送信システム。
【請求項１３】
前記最小送信レート制限モジュールは、具体的には、
ＤＥＣＴを使用することによって音声送信が実行されるときに利用可能な前記各アイドル・タイムスロット・セグメントの持続時間が異なる場合及び／又は前記各アイドル・タイムスロット・セグメントにおいて送信される必要がある前記Ｗｉ−Ｆｉデータパケットのサイズが異なる場合、
ＤＥＣＴを使用することによって音声送信が実行されるときに利用可能な前記各アイドル・タイムスロット・セグメントの持続時間を取得し、
対応する前記アイドル・タイムスロット・セグメントにおいて送信される必要がある前記Ｗｉ−Ｆｉデータパケットのサイズを取得し、
対応する前記アイドル・タイムスロット・セグメントにおけるＷｉ−Ｆｉ送信の前記最小レートを取得するために、対応する前記アイドル・タイムスロット・セグメントの持続時間によって、前記Ｗｉ−Ｆｉデータパケットのサイズを分割するように構成される
請求項１１に記載のデータおよび音声サービスの共存を実現するための送信システム。
【請求項１４】
通信装置であって、前記通信装置は請求項７〜１３のいずれか１項に記載のデータおよび音声サービスの共存を実現するための送信システムを有する通信装置。
【請求項１５】
前記通信装置は無線ルータである請求項１４に記載の通信装置。
【発明の詳細な説明】
【技術分野】
【０００１】
本発明は通信の分野に関し、特に、データおよび音声サービスの共存を実現するための送信方法、システム及び通信装置に関する。
【背景技術】
【０００２】
Ｗｉ−Ｆｉ（Ｗｉｒｅｌｅｓｓ  Ｆｉｄｅｌｉｔｙ：ワイファイ）は、近距離無線データ送信技術であり、主に無線ローカルエリアネットワーク内における近距離データ送信に適用される。Ｗｉ−Ｆｉの動作周波数帯域は、ＩＳＭ（Ｉｎｄｕｓｔｒｉａｌ  Ｓｃｉｅｎｔｉｆｉｃ  Ｍｅｄｉｃａｌ：産業科学医療）周波数帯域と、１４個のチャネルに分割される２．４ＧＨｚから２．４８３５ＧＨｚまでの動作周波数範囲とである。現在、Ｗｉ−Ｆｉは世界中で広く適用されている。
【０００３】
ＤＥＣＴ（Ｄｉｇｉｔａｌ  Ｅｎｈａｎｃｅｄ  Ｃｏｒｄｌｅｓｓ  Ｔｅｌｅｃｏｍｍｕｎｉｃａｔｉｏｎｓ：デジタル高度コードレス電気通信）はデジタル通信規格であり、主にコードレス電話システムに適用される。ＤＥＣＴ技術の２．４Ｇの動作周波数帯域はまた、ＩＳＭ周波数帯域でもあり、すなわちＷｉ−Ｆｉと同じ周波数帯域内である。
【０００４】
従来技術では、Ｗｉ−Ｆｉ（Ｗｉｒｅｌｅｓｓ  Ｆｉｄｅｌｉｔｙ：ワイファイ）チップとＤＥＣＴ（Ｄｉｇｉｔａｌ  Ｅｎｈａｎｃｅｄ  Ｃｏｒｄｌｅｓｓ  Ｔｅｌｅｃｏｍｍｕｎｉｃａｔｉｏｎｓ：デジタル高度コードレス電気通信）チップは、同一の通信製品内に統合され、その結果、通信製品は近距離音声とデータサービスを同時にサポートすることができる。しかしながら、Ｗｉ−ＦｉとＤＥＣＴの動作周波数帯域は同じ周波数帯域内にあるため、Ｗｉ−ＦｉとＤＥＣＴが共に動作するとき、干渉は互いの上に発生し、通信品質を劣化させる。
【発明の概要】
【発明が解決しようとする課題】
【０００５】
従来技術では、Ｗｉ−ＦｉとＤＥＣＴの共存を実現するための方法が提供される。前記方法は、以下のように簡潔に説明される。Ｗｉ−ＦｉとＤＥＣＴの動作周波数帯域を、できる限り互いから遠くに離間させるように、Ｗｉ−ＦｉとＤＥＣＴのための動作チャネルを設定するステップであって、その結果、Ｗｉ−ＦｉとＤＥＣＴは共に動作することができる。しかしながら、Ｗｉ−ＦｉとＤＥＣＴの両方がＩＳＭ周波数帯域内で動作するため、Ｗｉ−ＦｉとＤＥＣＴの周波数帯域は、あまり互いから遠くに離されることができない。その結果、Ｗｉ−ＦｉとＤＥＣＴが共に動作するとき、相互干渉は依然として存在し、Ｗｉ−ＦｉとＤＥＣＴの性能を低下させるとともにＷｉ−ＦｉとＤＥＣＴが動作しない原因にもなる。別の共存方法では、高性能フィルタが、ピアパーティ（ｐｅｅｒ  ｐａｒｔｙ）からの干渉をフィルタリングするために追加される。しかしながら、このことは新たな問題を引き起こしもする。問題とは、すなわち、高性能フィルタが追加される必要があると、ハードウェアに対する高い要件を引き上げるということと、高性能フィルタの価格が高いため、結果としてコストが過度に高くなるということと、さらに、完全にピアパーティからの干渉をフィルタリングすることができるフィルタは、全く存在しないということである。
【課題を解決するための手段】
【０００６】
本発明の態様は、データおよび音声サービスの共存を実現するための送信方法を提供して、Ｗｉ−ＦｉとＤＥＣＴが共存するときに、相互干渉が存在するとともにコストが高くなるという問題を解決する。
【０００７】
本発明の態様は、以下のように実行される。データおよび音声サービスの共存を実現するための送信方法は、
ＤＥＣＴを使用することによって音声送信が実行されるときに利用可能なアイドルタイムスロットを取得するステップと、
ＤＥＣＴを使用することによって音声送信が実行されるときに利用可能なアイドルタイムスロットにおいて、Ｗｉ−Ｆｉ送信を実行するステップと、
を有する。
【０００８】
本発明の態様の他の目的は、データおよび音声サービスの共存を実現するための送信システムを提供することである。前記システムは、Ｗｉ−ＦｉチップおよびＤＥＣＴチップを有し、前記システムは、Ｗｉ−ＦｉチップおよびＤＥＣＴチップにそれぞれ接続されるシンクロナイザをさらに有する。シンクロナイザは、ＤＥＣＴを使用することによって音声送信が実行されるときに利用可能なアイドルタイムスロットを取得するように構成されるとともに、ＤＥＣＴチップが音声送信を実行するときに利用可能なアイドルタイムスロットにおいて、Ｗｉ−Ｆｉチップを制御してＷｉ−Ｆｉ送信を実行するように構成される。
【０００９】
本発明の態様の他の目的は、通信装置を提供することであって、通信装置は、データおよび音声サービスの共存を実現するための送信システムを有する。
【００１０】
本発明の態様では、ＤＥＣＴを使用することによって音声送信が実行されるときに利用可能なアイドルタイムスロットが最初に取得され、その後ＤＥＣＴを使用することによって音声送信が実行されるときに利用可能なアイドルタイムスロットがＷｉ−Ｆｉ送信を実行するために使用され、その結果、時分割多重方式においてＷｉ−ＦｉとＤＥＣＴの共存を実現する。このようにして、Ｗｉ−ＦｉとＤＥＣＴが共存するときの相互干渉問題が解決されることができ、通信システム全体の通信容量を大幅に向上させることができ、さらに、高性能フィルタを追加する必要がないため、Ｗｉ−ＦｉとＤＥＣＴの共存のためのコストを削減する。
【図面の簡単な説明】
【００１１】
【図１】図１は、本発明の実施形態に係るデータおよび音声サービスの共存を実現するための送信方法の実行フローチャートである。
【図２】図２は、本発明の実施形態に係るＤＥＣＴ送信および受信プロセスにおけるタイムスロット占有の概略図である。
【図３】図３は、本発明の実施形態に係るＤＥＣＴ送信および受信プロセスにおけるタイムスロット占有の他の概略図である。
【図４】図４は、本発明の他の実施形態に係るデータおよび音声サービスの共存を実現するための送信方法の実行フローチャートである。
【図５】図５は、本発明の実施形態に係るＷｉ−ＦｉおよびＤＥＣＴの時分割送信の概略図である。
【図６】図６は、本発明の実施形態に係るデータおよび音声サービスの共存を実現するための送信システムの構成ブロック図である。
【図７】図７は、本発明の他の実施形態に係るデータおよび音声サービスの共存を実現するための送信システムの構成ブロック図である。
【発明を実施するための形態】
【００１２】
本発明の目的、技術的解決法、および利点をより理解し易くするために、以下では、さらに、添付の図面および実施形態を参照して本発明を詳細に説明する。なお、本明細書に記載の具体的な実施形態は、単に本発明を説明するために使用されるものであって、本発明を限定するものではないことが理解されるべきである。
【００１３】
本発明の実施形態では、Ｗｉ−ＦｉとＤＥＣＴの共存は時分割多重方式で実現される。このようにして、Ｗｉ−ＦｉとＤＥＣＴが共存するときの相互干渉問題が解決されることができ、通信システム全体の通信容量を大幅に向上させることができ、さらに、高性能フィルタを追加する必要がないため、Ｗｉ−ＦｉとＤＥＣＴの共存のためのコストを削減する。
【００１４】
本発明の技術的解決法を説明するために、具体的な実施形態が説明のために使用される。
【００１５】
図１は、本発明の実施形態に係るデータおよび音声サービスの共存を実現するための送信方法の実行手順を示し、以下のように詳細に説明される。
【００１６】
Ｓ１０１：ＤＥＣＴを使用することによって音声送信が実行されるときに利用可能なアイドルタイムスロットを取得
【００１７】
本実施形態では、ＤＥＣＴを使用することによって音声送信が実行されるときに利用可能なアイドル送信タイムスロットを取得するための具体的なプロセスをより明確に説明するために、以下では、ＤＥＣＴを使用することによって音声送信が実行されるときのフレーム構成を説明する。
【００１８】
２．４ＧシステムにおいてＤＥＣＴを使用することによって音声送信が実行されるために、音声データの１個のフレームの送信時間は、１０ｍｓに固定され、一方、１０ｍｓの送信時間は、１６個のタイムスロット（ｓｌｏｔ）に分割されている。ＤＥＣＴが音声データを送信するために使用されるとき、送信を実行するために二重タイムスロット（Ｄｏｕｂｌｅ  ｓｌｏｔ）が使用され、すなわち、音声データの同じ部分が同時に２つの隣接スロットで送信される。従って、ＤＥＣＴが音声データを送信するために使用されるときに実際に使用されるタイムスロットの数は２個であるとともに、持続時間は全体で１．２５ｍｓである。最初の８個のスロットは、固定部（Ｆｉｘｅｄ  Ｐａｒｔ：ＦＰ）が音声データを可搬部（Ｐｏｒｔａｂｌｅ  Ｐａｒｔｓ：ＰＰ）に送信するときに使用されるとともに（固定部から可搬部に音声データを送信するためのプロセスは、ＦＰ  ｔｏ  ＰＰとして知られている）、最後の８個のスロットは、可搬部が音声データを固定部に送信するときに使用される（可搬部から固定部に音声データを送信するためのプロセスは、ＰＰ  ｔｏ  ＦＰとして知られている）。図２は、ＤＥＣＴを使用することによって音声データが送信されるプロセスにおける、タイムスロット占有の概略図であり、ＤＥＣＴは、音声データが送信されるとき、１６個のタイムスロットのうち１番目と２番目のタイムスロットを占有するとともに、音声データが受信されるとき、１６個のタイムスロットのうち９番目と１０番目のタイムスロットを占有する。
【００１９】
ＤＥＣＴを使用することによって音声送信が実行されるときのフレーム構成によると、ＤＥＣＴを使用することによって音声データが送信されるとき、ＤＥＣＴは、１６個のタイムスロットのうち1番目と２番目のタイムスロットと、９番目と１０番目のタイムスロットのみ占有することがわかる。このようにして、ＤＥＣＴの１個のフレームの送信時間は、４個のタイムスロットセグメントに分割される。すなわち、1番目のタイムスロットセグメントは、送信のために占有されるタイムスロットセグメントであり、送信のためにＤＥＣＴによって占有される１番目と２番目のタイムスロットを含み、全体で１．２５ｍｓである。２番目のタイムスロットセグメントは、アイドル・タイムスロット・セグメントであり、１６個のタイムスロットのうち空き状態にある３番目から８番目のタイムスロットを含み（以下、空き状態にあるタイムスロットは、アイドルタイムスロットと呼ぶこととする。）、２番目のタイムスロットセグメントの持続時間の合計は３．７５ｍｓである。３番目のタイムスロットセグメントは、受信のために占有されるタイムスロットセグメントであり、受信のためにＤＥＣＴによって占有される９番目と１０番目のタイムスロットを含み、全体で１．２５ｍｓである。４番目のタイムスロットセグメントは、アイドル・タイムスロット・セグメントであり、１６個のタイムスロットのうち空き状態にある１１番目から１６番目のタイムスロットを含む。
【００２０】
本発明の実施形態では、説明を容易にするために、連続アイドルタイムスロットはアイドル・タイムスロット・セグメントと呼ばれる。ＤＥＣＴを使用することによって音声データ送信が実行されるとき、３番目から８番目のタイムスロットによって形成されるアイドル・タイムスロット・セグメントと、１１番目から１６番目のタイムスロットによって形成されるアイドル・タイムスロット・セグメントとが存在するとともに、各アイドル・タイムスロット・セグメントの持続時間は３．７５ｍｓである。
【００２１】
このようにして、ＤＥＣＴを使用することによって音声送信が実行されるときに利用可能なアイドルタイムスロットは、ＤＥＣＴを使用することによって音声データ送信が実行されるときに、フレーム構成に応じて取得されてもよい。すなわち、ＤＥＣＴを使用することによって音声データ送信が実行されるときに取得されるアイドルタイムスロットは、３番目から８番目のタイムスロットと１１番目から１６番目のタイムスロットである。
【００２２】
Ｓ１０２：ＤＥＣＴを使用することによって音声送信が実行されるときに利用可能なアイドルタイムスロットにおけるＷｉ−Ｆｉ送信を実行
【００２３】
本実施形態では、ＤＥＣＴを使用することによって音声送信が実行されるときに利用可能なアイドルタイムスロットが取得されたあと、アイドルタイムスロットはＷｉ−Ｆｉ送信のために使用されてもよい。以下は、説明のために使用される実施例である。
【００２４】
ステップ１０１において、ＤＥＣＴを使用することによって音声送信が実行されるときに取得されるアイドルタイムスロットが、３番目から８番目のタイムスロットと１１番目から１６番目のタイムスロットであるとき、３番目から８番目のタイムスロットによって形成されるアイドル・タイムスロット・セグメントの持続時間と１１番目から１６番目のタイムスロットによって形成されるアイドル・タイムスロット・セグメントの持続時間は、両方とも３．７５ｍｓである。このようにして、Ｗｉ−Ｆｉ送信は、これらのアイドル・タイムスロット・セグメントにおいて実行されてもよい。
【００２５】
本発明の実施形態では、ＤＥＣＴを使用することによって音声送信が実行されるときに利用可能なアイドルタイムスロットが最初に取得され、その後ＤＥＣＴを使用することによって音声送信が実行されるときに利用可能なアイドルタイムスロットが、Ｗｉ−Ｆｉ送信を実行するために使用される。すなわち、Ｗｉ−ＦｉとＤＥＣＴの共存は、時分割多重方式で実現される。このようにして、Ｗｉ−ＦｉとＤＥＣＴが共存するときの相互干渉問題が解決されることができ、通信システム全体の通信容量を大幅に向上させることができ、さらに、高性能フィルタを追加する必要がないため、Ｗｉ−ＦｉとＤＥＣＴの共存のためのコストを削減する。
【００２６】
本発明の他の実施形態では、ＤＥＣＴを使用することによって音声送信が実行されるときに利用可能なアイドルタイムスロットを取得するステップは、具体的には、
ＤＥＣＴを使用することによって音声送信が実行されるときのフレーム構成とＷｉ−ＦｉとＤＥＣＴの共存を実現する装置に接続される可搬部の個数とに従って、ＤＥＣＴを使用することによって音声送信が実行されるときに利用可能なアイドルタイムスロットを取得するステップを有する。
【００２７】
本実施形態では、ＤＥＣＴを使用することによって音声送信が実行されるときのフレーム構成は、以下の通りである。音声データの１個のフレームの送信時間は、１０ｍｓに固定され、一方、１０ｍｓの送信時間は、１６個のタイムスロット（ｓｌｏｔ）に分割されている。ＤＥＣＴが音声データを送信するために使用されるとき、送信を実行するために二重タイムスロット（Ｄｏｕｂｌｅ  ｓｌｏｔ）が使用され、すなわち、音声データの同じ部分が同時に２つの隣接スロットで送信される。従って、ＤＥＣＴが音声データを送信するために使用されるときに実際に使用されるタイムスロットの数は２個であるとともに、持続時間は全体で１．２５ｍｓである。最初の８個のスロットは、固定部が音声データを可搬部に送信するときに使用されるとともに、最後の８個のスロットは、可搬部が音声データを固定部に送信するときに使用される。
【００２８】
ＤＥＣＴを使用することによって音声データ送信が実行されるとき、Ｗｉ−ＦｉとＤＥＣＴの共存を実現する装置に接続される各可搬部は、送信時に２個のタイムスロットを占有するとともに、また、受信時に２個のタイムスロットを占有する。このように、ＤＥＣＴを使用することによって音声送信が実行されるときに利用可能なアイドルタイムスロットは、ＤＥＣＴを使用することによって音声送信が実行されるときのフレーム構成とＷｉ−ＦｉとＤＥＣＴの共存を実現する装置に接続される可搬部の個数とに従って、取得されてもよい。以下は、説明のために使用される実施例である。
【００２９】
Ｗｉ−ＦｉとＤＥＣＴの共存を実現する装置に接続される可搬部の個数が、２個であると仮定する。ＤＥＣＴを使用することによって音声データ送信が実行されるとき、音声データの送信中は各可搬部が２個のタイムスロットを占有するとともに、音声データの受信中は各可搬部が２個のタイムスロットを占有する。１６個のタイムスロットのうち最初の８個のタイムスロットは、固定部が音声データを可搬部に送信するときに使用されるとともに、最後の８個のタイムスロットは、可搬部が音声データを固定部に送信するときに使用されるため、図３を参照すると、ＤＥＣＴを使用することによる音声データの１個のフレームの送信時間に含まれる１６個のタイムスロットのうち、１番目から４番目のタイムスロットは全て、音声データを送信するためにＤＥＣＴによって占有され、５番目から８番目のタイムスロットはアイドルタイムスロットであり、９番目から１２番目のタイムスロットは全て、音声データを受信するためにＤＥＣＴによって占有され、１３番目から１６番目のタイムスロットはアイドルタイムスロットであり、５番目から８番目の連続アイドルタイムスロットによって形成されるアイドル・タイムスロット・セグメントの持続時間は２．５ｍｓであり、１３番目から１６番目の連続アイドルタイムスロットによって形成されるアイドル・タイムスロット・セグメントの持続時間は２．５ｍｓである。
【００３０】
Ｗｉ−ＦｉとＤＥＣＴの共存を実現する装置に接続される可搬部の個数が２個であるとき、ＤＥＣＴを使用することによって音声送信が実行されるときに利用可能なアイドルタイムスロットは、ＤＥＣＴを使用することによって音声送信が実行されるときのフレーム構成とＷｉ−ＦｉとＤＥＣＴの共存を実現する装置に接続される可搬部の個数とに従って取得され、２．５ｍｓの持続時間を持つ１３番目から１６番目のタイムスロットと同様に、２．５ｍｓの持続時間を持つ５番目から８番目のタイムスロットを有することが、上記の方法を使用することによって分かる。
【００３１】
本実施形態では、ＤＥＣＴを使用することによって音声送信が実行されるときに利用可能なアイドルタイムスロットは、ＤＥＣＴを使用することによって音声送信が実行されるときのフレーム構成と、Ｗｉ−ＦｉとＤＥＣＴの共存を実現する装置に接続される可搬部の個数とに従って取得されるとともに、アイドルタイムスロットは、Ｗｉ−Ｆｉ送信のために使用され、その結果、Ｗｉ−ＦｉとＤＥＣＴの共存がより正確に実現されることができる。
【００３２】
図４は、本発明の他の実施形態に係るデータおよび音声サービスの共存を実現するための送信方法の実行手順を示し、以下のように詳細に説明される。
【００３３】
Ｓ４０１：ＤＥＣＴを使用することによって音声送信が実行されるときに利用可能なアイドル・タイムスロット・セグメントを取得する。
ＤＥＣＴを使用することによって音声送信が実行されるときに利用可能なアイドル・タイムスロット・セグメントは、ＤＥＣＴを使用することによって音声送信が実行されるときに利用可能な連続アイドルタイムスロットを参照する。ＤＥＣＴを使用することによって音声送信が実行されるときに利用可能なアイドル・タイムスロット・セグメントを取得するための具体的なプロセスは、上記で説明されており、ここでこれ以上繰り返すことはしない。
【００３４】
Ｓ４０２：ＤＥＣＴを使用することによって音声送信が実行されるときに利用可能な各アイドル・タイムスロット・セグメントの持続時間と、対応するアイドル・タイムスロット・セグメントにおいて送信される必要があるＷｉ−Ｆｉデータパケットのサイズとに従って、各アイドル・タイムスロット・セグメントにおけるＷｉ−Ｆｉ送信の最小レートを制限する。
【００３５】
本実施形態では、Ｗｉ−Ｆｉデータパケットのサイズが異なるとともに、異なる送信レートがＷｉ−Ｆｉ送信のために使用され得るため、Ｗｉ−Ｆｉデータ送信のために占有される時間は異なる。しかしながら、その間に、ＤＥＣＴを使用することによって音声送信が実行されるときに利用可能なアイドルタイムスロットがＷｉ−Ｆｉ送信のために使用される、Ｗｉ−Ｆｉ送信のために予約される時間は固定であり、Ｗｉ−Ｆｉ送信の完全性と正確性を確保するためにＷｉ−Ｆｉ送信の最小レートを制限する必要がある。
【００３６】
ＤＥＣＴを使用することによって音声送信が実行されるときに利用可能な各アイドル・タイムスロット・セグメントの持続時間と対応するアイドル・タイムスロット・セグメントにおいて送信される必要があるＷｉ−Ｆｉデータパケットのサイズとに従って、Ｗｉ−Ｆｉ送信の最小レートを制限するための具体的な実行プロセスは、以下の通りである。
【００３７】
ＤＥＣＴを使用することによって音声送信が実行されるときに利用可能な各アイドル・タイムスロット・セグメントの持続時間が同一で、且つ各アイドル・タイムスロット・セグメントにおいて送信される必要があるＷｉ−Ｆｉデータパケットのサイズもまた同一である場合、各アイドル・タイムスロット・セグメントにおけるＷｉ−Ｆｉ送信の最小レートを取得するために、アイドル・タイムスロット・セグメントの持続時間によって、Ｗｉ−Ｆｉデータパケットのサイズが分割される。各アイドル・タイムスロット・セグメントにおけるＷｉ−Ｆｉ送信の最小レートが取得された後、最小送信レートは全てのアイドル・タイムスロット・セグメントにおける最小送信レートとして使用されてもよい。
【００３８】
ＤＥＣＴを使用することによって音声送信が実行されるときに利用可能な各アイドル・タイムスロット・セグメントの持続時間が異なる場合及び／又は各アイドル・タイムスロット・セグメントにおいて送信される必要があるＷｉ−Ｆｉデータパケットのサイズが異なる場合、ＤＥＣＴを使用することによって音声送信が実行されるときに利用可能な各アイドル・タイムスロット・セグメントの持続時間と対応するアイドル・タイムスロット・セグメントにおいて送信される必要があるＷｉ−Ｆｉデータパケットのサイズとに従って、各アイドル・タイムスロット・セグメントにおけるＷｉ−Ｆｉ送信の最小レートを制限するステップは、具体的には、ＤＥＣＴを使用することによって音声送信が実行されるときに利用可能な各アイドル・タイムスロット・セグメントの持続時間を取得するステップを有する。例えば、２個のアイドル・タイムスロット・セグメントが取得されるとともに、各アイドル・タイムスロット・セグメントの持続時間は３．７５ｍｓであると想定される。
【００３９】
対応するアイドル・タイムスロット・セグメントにおいて送信される必要があるＷｉ−Ｆｉデータパケットのサイズが取得される。本実施形態では、各アイドル・タイムスロット・セグメントにおいて送信されるＷｉ−Ｆｉデータパケットのサイズが一致しないことがあるため、各アイドル・タイムスロット・セグメントにおいて送信されるＷｉ−Ｆｉデータパケットのサイズを習得することが必要である。
【００４０】
対応するアイドル・タイムスロット・セグメントにおけるＷｉ−Ｆｉ送信の最小レートを取得するために、対応するアイドル・タイムスロット・セグメントの持続時間によって、Ｗｉ−Ｆｉデータパケットのサイズが分割される。
【００４１】
理解し易くするために、以下では、本実施形態において提供される上記のプロセスを説明するために、具体的な実施例を使用する。
【００４２】
取得された、２個のアイドル・タイムスロット・セグメントの各アイドル・タイムスロット・セグメントの持続時間は３．７５ｍｓであると想定される。
【００４３】
Ｗｉ−Ｆｉ送信における２つの一般的なケースが実施例として使用される。一つのタイプは、ブロードキャスト情報を送信するために使用されるＢｅａｃｏｎフレームである。Ｂｅａｃｏｎフレームのサイズは６１バイトである。Ｗｉ−Ｆｉ送信のために利用可能な時間が３．７５ｍｓであるため、これらのアイドル・タイムスロット・セグメントは、Ｂｅａｃｏｎフレームを送信するのに十分である。
【００４４】
もう一つのタイプは、データ送信におけるアトミックオペレーション（ａｔｏｍ  ｏｐｅｒａｔｉｏｎ）である。ここで、アトミックオペレーションは、不可分単一のオブジェクトユニットを指す。単一オブジェクトユニットは、複数のステップを含んでもよい。含まれる複数のステップは、しかしながら、単一の不可分処理としてみなされる。全てのステップが完了しない場合、全体の処理は失敗しているとみなされる。アトミックオペレーションは、一般に、媒体アクセス制御（Ｍｅｄｉｕｍ  Ａｃｃｅｓｓ  Ｃｏｎｔｒｏｌ：ＭＡＣ）フレームの本体部（すなわち、ｆｒａｍｅｂｏｄｙ）と、２つの短フレーム間隔（Ｓｈｏｒｔ  Ｉｎｔｅｒｆｒａｍｅ  Ｓｐａｃｅ：ＳＩＦＳ）と、肯定応答フレーム（ＡＣＫ）と、を有する。
【００４５】
前記ＭＡＣフレームのｆｒａｍｅｂｏｄｙのサイズは１０００バイト（すなわち、８０００ｂｉｔ）であり、２つの短フレーム間隔は、合計で２０ｕｓを占有し、ＡＣＫ部のサイズは１４バイト（すなわち、１１２ｂｉｔ）であると想定される。
【００４６】
３．７５ｍｓの持続時間を持つアイドル・タイムスロット・セグメントに対して、許可された最小送信レートＶは、Ｖ＝８１１２ｂｉｔ／（３．７５ｍｓ−２０ｕｓ）である。取得されたＶはおよそ５．５Ｍｂｐｓである。
【００４７】
本実施形態では、Ｗｉ−Ｆｉ送信が実行されるとき、Ｗｉ−Ｆｉを使用することによって送信される、複数タイプのデータがあってもよい。この場合、複数タイプのデータは、Ｗｉ−Ｆｉリソースを争奪する必要がある。従って、ＤＥＣＴを使用することによって音声送信が実行されるときに利用可能な各アイドル・タイムスロット・セグメントに対応する、コンテンションウィンドウが存在する。例えば、３．７５ｍｓの持続時間を持つアイドル・タイムスロット・セグメントに対して、対応するコンテンションウィンドウのサイズの上限は、１８７Ｗｉ−Ｆｉ  ｓｌｏｔである。各アイドル・タイムスロット・セグメントに対応するコンテンションウィンドウのサイズを計算するための具体的なステップは、従来技術に属しているため、具体的なステップは、ここでさらに説明はされない。
【００４８】
本実施形態では、Ｗｉ−Ｆｉ送信の最小レートとコンテンションウィンドウのサイズを制限することによって、ＤＥＣＴとＷｉ−Ｆｉの共存は、時分割多重方式を使用することによって実現されることができ、システム全体の通信容量を最大限に向上させる。一方、各アイドル・タイムスロット・セグメントにおける、Ｗｉ−Ｆｉ送信の最小レートが制限されるため、Ｗｉ−Ｆｉ送信を実行するためにＤＥＣＴのアイドルタイムスロットが使用されるときに、データは、統合された且つ正確な方法で送信されることができる。
【００４９】
Ｓ４０３：対応するアイドル・タイムスロット・セグメントにおいてＷｉ−Ｆｉ送信を実行するために、アイドル・タイムスロット・セグメントにおけるＷｉ−Ｆｉ送信の最小レートより大きいか、または等しい送信レートを使用する。
【００５０】
本実施形態では、各アイドル・タイムスロット・セグメントにおけるＷｉ−Ｆｉ送信の最小レートが、Ｓ４０３において制限されるため、特定のアイドル・タイムスロット・セグメントにおいてＷｉ−Ｆｉ送信が実行されるとき、アイドル・タイムスロット・セグメントにおけるＷｉ−Ｆｉ送信の最小レートより大きいか、または等しい送信レートがＷｉ−Ｆｉ送信を実行するために使用され、その結果、Ｗｉ−Ｆｉデータ送信は、統合された且つ正確な方法で、固定された時間セグメントで実行されることができる。
【００５１】
本発明の実施形態において提供される上記の方法は、Ｗｉ−ＦｉとＤＥＣＴの共存を実現する必要がある、いかなる製品にも適用可能である。例えば、２．４ＧのＷｉ−ＦｉとＤＥＣＴがアンテナを共有する製品、または２．４ＧのＷｉ−ＦｉとＤＥＣＴがそれぞれ異なるアンテナを使用する製品である。
【００５２】
図５は、時分割多重方式を使用することによって共存するデータおよび音声サービスの送信が実行されるときの、本発明の実施形態に係るＷｉ−ＦｉおよびＤＥＣＴの時分割送信の概略図である。
【００５３】
図５で示されるように、ＤＥＣＴを使用することによって音声データ送信が実行されるとき、Ｗｉ−Ｆｉは休止状態にある。この場合、ＤＥＣＴを使用することによって音声データ送信が実行されるとき、フレーム内の最初の２個のスロットのみが、送信のために占有されるとともに、フレーム内の９番目と１０番目のスロットのみが、受信のために占有される。ＤＥＣＴ送信が終了すると、ＤＥＣＴ送信はシャットダウンされることができ、その間に、Ｗｉ−Ｆｉが作動する。Ｗｉ−Ｆｉは、データ送信を実行するために、３番目から８番目のスロットと１１番目から１６番目のスロットを使用することができる。
【００５４】
図６は、本発明の実施形態に係るデータおよび音声サービスの共存を実現するための送信システムの構成を示している。説明を容易にするために、本発明の実施形態に関係する部分のみが示されている。
【００５５】
本システムは、無線ルータや、セットトップボックスや、固定回線電話や、Ｗｉ−ＦｉとＤＥＣＴの共存に関係する他の任意の通信装置のような、任意の通信装置に適用されてもよく、通信装置内で動作しているソフトウェアユニットや、ハードウェアユニットや、またはソフトウェアとハードウェアを組み合わせたユニットであってもよく、また、通信状態にあるか、または通信装置内で動作しているアプリケーションシステムに、独立したウィジェットとして統合されてもよい。
【００５６】
データおよび音声サービスの共存を実現するための送信システムは、Ｗｉ−Ｆｉチップ１と、ＤＥＣＴチップ２と、Ｗｉ−Ｆｉチップ１とＤＥＣＴチップ２にそれぞれ接続されるシンクロナイザ３とを有する。
【００５７】
従来技術において提供されるＷｉ−Ｆｉ送信を実行することができるいかなるタイプのチップも、Ｗｉ−Ｆｉチップ１として使用されてもよく、且つ従来技術において提供されるＤＥＣＴ送信を実行することができるいかなるタイプのチップもまた、ＤＥＣＴチップ２として使用されてもよい。
【００５８】
前記シンクロナイザ３は、時分割多重方式においてＷｉ−ＦｉとＤＥＣＴの共存を実現するために、ＤＥＣＴを使用することによって音声送信が実行されるときに利用可能なアイドルタイムスロットを取得するとともに、ＤＥＣＴチップが音声送信を実行するときに利用可能なアイドルタイムスロットにおいて、Ｗｉ−ＦｉチップがＷｉ−Ｆｉ送信を実行するように制御する。
【００５９】
前記シンクロナイザ３は、アイドルタイムスロット取得部３１と時分割送信制御部３２とを有する。
【００６０】
前記アイドルタイムスロット取得部３１は、ＤＥＣＴチップが音声送信を実行するときに利用可能なアイドルタイムスロットを取得する。具体的な取得プロセスは、上述されており、ここでさらに繰り返されることはない。
【００６１】
前記時分割送信制御部３２は、ＤＥＣＴチップが音声送信を実行するときに利用可能なアイドルタイムスロットにおいてＷｉ−Ｆｉ送信を実行するようにＷｉ−Ｆｉチップを制御する。具体的な制御プロセスは上述されており、ここでさらに繰り返されることはない。
【００６２】
本発明の他の実施形態では、アイドルタイムスロット取得部３１は、具体的には、ＤＥＣＴチップが音声送信を実行するときのフレーム構成とＷｉ−ＦｉとＤＥＣＴの共存を実現する装置に接続される可搬部の個数とに従って、ＤＥＣＴチップが音声送信を実行するときに利用可能なアイドルタイムスロットを取得するように構成される。具体的な取得プロセスは上述されており、ここでさらに繰り返されることはない。
【００６３】
本発明の他の実施形態では、アイドルタイムスロット取得部３１は、具体的には、ＤＥＣＴチップが音声送信を実行するときに利用可能なアイドル・タイムスロット・セグメントを取得するように構成され、アイドル・タイムスロット・セグメントは、ＤＥＣＴを使用することによって音声送信が実行されるときに利用可能な、連続アイドルタイムスロットである。ＤＥＣＴを使用することによって音声送信が実行されるときに利用可能なアイドル・タイムスロット・セグメントは、ＤＥＣＴを使用することによって音声送信が実行されるときに利用可能な連続アイドルタイムスロットを参照する。ＤＥＣＴを使用することによって音声送信が実行されるときに利用可能なアイドル・タイムスロット・セグメントを取得するための具体的なプロセスは上述されており、ここでさらに繰り返されることはない。
【００６４】
図７を参照すると、時分割送信制御部３２は、最小送信レート制限モジュール３２１と時分割制御モジュール３２２とを有する。
【００６５】
前記最小送信レート制限モジュール３２１は、ＤＥＣＴチップが音声送信を実行するときに利用可能な各アイドル・タイムスロット・セグメントの持続時間と対応するアイドル・タイムスロット・セグメントにおいて送信される必要があるＷｉ−Ｆｉデータパケットのサイズとに従って、各アイドル・タイムスロット・セグメントにおけるＷｉ−Ｆｉ送信の最小レートを制限する。
【００６６】
前記時分割制御モジュール３２２は、Ｗｉ−Ｆｉチップが、対応するアイドル・タイムスロット・セグメントにおいてＷｉ−Ｆｉ送信を実行するためのアイドル・タイムスロット・セグメントにおけるＷｉ−Ｆｉ送信の最小レートより大きいか、または等しい送信レートを使用するように制御する。
【００６７】
本発明の他の実施形態では、最小送信レート制限モジュール３２１が、具体的には、ＤＥＣＴを使用することによって音声送信が実行されるときに利用可能な各アイドル・タイムスロット・セグメントの持続時間が同一で、且つ各アイドル・タイムスロット・セグメントにおいて送信される必要があるＷｉ−Ｆｉデータパケットのサイズもまた同一である場合、各アイドル・タイムスロット・セグメントにおけるＷｉ−Ｆｉ送信の最小レートを取得するために、アイドル・タイムスロット・セグメントの持続時間によって、Ｗｉ−Ｆｉデータパケットのサイズを分割するように構成される。
【００６８】
本発明の他の実施形態では、最小送信レート制限モジュール３２１は、具体的には、ＤＥＣＴを使用することによって音声送信が実行されるときに利用可能な各アイドル・タイムスロット・セグメントの持続時間が異なる場合及び／又は各アイドル・タイムスロット・セグメントにおいて送信される必要があるＷｉ−Ｆｉデータパケットのサイズが異なる場合、ＤＥＣＴを使用することによって音声送信が実行されるときに利用可能な各アイドル・タイムスロット・セグメントの持続時間を取得し、対応するアイドル・タイムスロット・セグメントにおいて送信される必要があるＷｉ−Ｆｉデータパケットのサイズを取得し、対応するアイドル・タイムスロット・セグメントにおけるＷｉ−Ｆｉ送信の最小レートを取得するために、対応するアイドル・タイムスロット・セグメントの持続時間によって、Ｗｉ−Ｆｉデータパケットのサイズを分割するように構成される。
【００６９】
前述のシステムに含まれるユニットは、機能ロジックに従ってのみ分割されるが、対応する機能が実行され得る限り、上述の分割に限定されるものではないことが留意されるべきである。さらに、機能ユニットの具体的な名称は、単なる区別のためのものであり、本発明の保護範囲を限定するものではない。
【００７０】
当業者は、前記方法の実施形態の全てまたは一部のステップが、関連するハードウェアに命令するプログラムによって実行されてもよいことを理解することができる。プログラムは、ＲＯＭ／ＲＡＭ、磁気ディスク、または光ディスクのような、コンピュータ可読記憶媒体に格納されてもよい。
【００７１】
本発明の実施形態では、ＤＥＣＴを使用することによって音声送信が実行されるときに利用可能なアイドルタイムスロットが最初に取得され、その後ＤＥＣＴを使用することによって音声送信が実行されるときに利用可能なアイドルタイムスロットがＷｉ−Ｆｉ送信を実行するために使用され、すなわち、時分割多重方式においてＷｉ−ＦｉとＤＥＣＴの共存が実現される。このようにして、Ｗｉ−ＦｉとＤＥＣＴが共存するときの相互干渉問題が解決されることができ、通信システム全体の通信容量は大幅に向上することができ、さらに、高性能フィルタを追加する必要がないため、Ｗｉ−ＦｉとＤＥＣＴの共存のためのコストを削減する。ＤＥＣＴを使用することによって音声送信が実行されるときに利用可能なアイドルタイムスロットは、ＤＥＣＴを使用することによって音声送信が実行されるときのフレーム構成とＷｉ−ＦｉとＤＥＣＴの共存を実現する製品に接続される可搬部の個数とに従って取得されるとともに、アイドルタイムスロットは、Ｗｉ−Ｆｉ送信のために使用され、その結果、Ｗｉ−ＦｉとＤＥＣＴの共存がより正確に実現されることができる。一方、Ｗｉ−Ｆｉ送信の最小レートとコンテンションウィンドウのサイズが制限され、その結果、Ｗｉ−Ｆｉ送信を実行するためにＤＥＣＴのアイドルタイムスロットが使用されるときに、データは、統合された且つ正確な方法で送信されることができる。
【００７２】
上述の説明は、単に本発明の例示的な実施形態であるが、本発明を限定するものではない。本発明の趣旨と原理内で行われる、いかなる修正、同等置換および改良も、本発明の保護範囲内に含まれるものとする。
【符号の説明】
【００７３】
１  Ｗｉ−Ｆｉチップ
２  ＤＥＣＴチップ
３  シンクロナイザ
３１  アイドルタイムスロット取得部
３２  時分割送信制御部
３２１  最小送信レート制限モジュール
３２２  時分割制御モジュール
【図１】
2015509341.tif 000003
【図２】
2015509341.tif 000004
【図３】
2015509341.tif 000005
【図４】
2015509341.tif 000006
【図５】
2015509341.tif 000007
【図６】
2015509341.tif 000008
【図７】
2015509341.tif 000009
【国際調査報告】
2015509341.tif 000010
2015509341.tif 000011
2015509341.tif 000012
2015509341.tif 000013